(57)【要約】      （修正有）【課題】壁に額などを取付ける保持具の保持方法に汎用性を持たせて使い勝手を向上させた保持具を提供する。【解決手段】被保持体２を壁で保持するための保持具１において、被保持体２に貼着するための貼着体４を保持具本体３に取付け、保持具本体３に可撓性を有する舌片５を形成し、舌片５に吸盤を着脱可能に装着するための吸盤装着部７を形成する。また、前記保持具本体３は、貼着体４を取付けた固定側本体と舌片を形成した回転側本体とを回転角度調節可能に接続した構成とする。さらに、前記保持具本体３を磁石で形成する。【選択図】図１
0003171778.tif 000002
【実用新案登録請求の範囲】
【請求項１】
被保持体を壁で保持するための保持具において、
被保持体に貼着するための貼着体を保持具本体に取付け、保持具本体に可撓性を有する舌片を形成し、舌片に吸盤を着脱可能に装着するための吸盤装着部を形成したことを特徴とする保持具。
【請求項２】
前記保持具本体は、貼着体を取付けた固定側本体と舌片を形成した回転側本体とを回転角度調節可能に接続した構成としたことを特徴とする請求項１に記載の保持具。
【請求項３】
前記保持具本体を磁石で形成したことを特徴とする請求項１又は請求項２に記載の保持具。
【考案の詳細な説明】
【技術分野】
【０００１】
本考案は、壁や窓などに写真入れや額などの被保持体を取付ける際に使用する保持具に関するものである。
【背景技術】
【０００２】
従来より、壁や窓などに写真入れや額などの被保持体を取付ける際には、画鋲やフックなどの保持具が使用されている（たとえば、特許文献１参照。）。
【０００３】
この従来の保持具では、たとえば、画鋲の場合には、壁に鋲を差込むことで被保持体を保持し、また、フックの場合には、被保持体に形成した穴や被保持体に取付けた紐で吊下げることで被保持体を保持している。
【先行技術文献】
【特許文献】
【０００４】
【特許文献１】実用新案登録第３１５６１１８号公報
【考案の概要】
【考案が解決しようとする課題】
【０００５】
ところが、上記従来の保持具では、被保持体を保持する保持方法（差込みや吊下げなど）が一つに特定されてしまい、汎用性がなく使い勝手の悪いものであった。
【課題を解決するための手段】
【０００６】
そこで、請求項１に係る本考案では、被保持体を壁で保持するための保持具において、被保持体に貼着するための貼着体を保持具本体に取付け、保持具本体に可撓性を有する舌片を形成し、舌片に吸盤を着脱可能に装着するための吸盤装着部を形成することにした。
【０００７】
また、請求項２に係る本考案では、前記請求項１に係る本考案において、前記保持具本体は、貼着体を取付けた固定側本体と舌片を形成した回転側本体とを回転角度調節可能に接続した構成とすることにした。
【０００８】
さらに、請求項３に係る本考案では、前記請求項１又は請求項２に係る本考案において、前記保持具本体を磁石で形成することにした。
【考案の効果】
【０００９】
そして、本考案では、以下に記載する効果を奏する。
【００１０】
すなわち、本考案では、被保持体を壁で保持するための保持具において、被保持体に貼着するための貼着体を保持具本体に取付け、保持具本体に可撓性を有する舌片を形成し、舌片に吸盤を着脱可能に装着するための吸盤装着部を形成することにしているために、舌片を壁に引掛けて被保持体を保持したり、吸盤を壁に吸着させて被保持体を保持することができるので、被保持体を保持する壁の状態に応じて保持方法を選択することができ、保持具の汎用性が増して使い勝手を向上させることができる。
【００１１】
特に、保持具本体を、貼着体を取付けた固定側本体と舌片を形成した回転側本体とを回転角度調節可能に接続した構成とした場合には、被保持体を所望の角度に傾斜させた状態で保持することができ、より一層保持具の使い勝手を向上させることができる。
【００１２】
また、保持具本体を磁石で形成した場合には、磁力を利用して被保持体を保持することができ、より一層保持具の汎用性を向上させることができる。
【図面の簡単な説明】
【００１３】
【図１】保持具を示す斜視図。
【図２】同正面図（ａ）、側面図（ｂ）。
【図３】同使用方法を示す側面図。
【図４】固定側本体（正面図（ａ）、側面断面図（ｂ））と回転側本体（正面図（ｃ）、側面断面図（ｄ））で保持具本体を構成した保持具を示す側面図（ｅ）。
【考案を実施するための形態】
【００１４】
以下に、本考案に係る保持具の具体的な構成について図面を参照しながら説明する。
【００１５】
図１に示すように、保持具１は、写真入れや額などの被保持体２の裏面に貼着し、被保持体２を壁等で保持する際に使用される。
【００１６】
この保持具１は、図２に示すように、可撓性を有する板状の磁石からなる保持具本体３の裏面上部に、被保持体２に貼着するための両面テープ等からなる貼着体４を取付けるとともに、保持具本体３の下部に左右一対の可撓性を有する舌片5,5を形成している。
【００１７】
左右一対の舌片5,5の間には、吸盤６（図３参照。）を着脱自在に装着するための切欠状の吸盤装着部７を形成している。なお、舌片５は、保持具本体３の下部に少なくとも１個形成されればよく、その場合には、舌片５に吸盤６を挿入する貫通孔を形成すればよい。
【００１８】
この保持具１は、保持具本体３が磁石で形成されているために、そのまま金属板等の表面に貼着することで被保持体２を保持することができる。
【００１９】
また、保持具１は、図３（ａ）に示すように、舌片５を利用して桟等に引掛けることで被保持体２を保持することができる。
【００２０】
さらに、保持具１は、図３（ｂ）に示すように、保持具本体３の吸盤装着部７に吸盤６を装着し、吸盤６を利用して壁等に吸着させることで被保持体２を保持することができる。
【００２１】
なお、保持具１は、保持具本体３や貼着体４や舌片５や吸盤装着部７の形状や厚みや材質や色などを適宜変更して製造することができる。
【００２２】
このように、保持具１は、被保持体２に貼着するための貼着体４を保持具本体３に取付け、保持具本体３に可撓性を有する舌片５を形成し、舌片５に吸盤６を着脱可能に装着するための吸盤装着部７を形成した構成となっている。
【００２３】
そのため、上記構成の保持具１では、舌片５を壁に引掛けて被保持体２を保持したり、吸盤６を壁に吸着させて被保持体２を保持することができるので、被保持体２を保持する壁の状態に応じて保持方法を選択することができ、保持具１の汎用性が増して使い勝手を向上させることができる。
【００２４】
また、上記保持具１では、保持具本体３を磁石で形成しているために、磁石の磁力を利用して被保持体２を保持することができ、より一層保持具１の汎用性を向上させることができる。
【００２５】
上記保持具１では、保持具本体３を一枚のシートで構成しているが、これに限られず、図４に示すように、保持具1'の保持具本体3'を、固定側本体８と回転側本体９とで構成することもできる。
【００２６】
ここで、固定側本体８は、裏面に貼着体４を取付けるとともに、中央部にラチェット状の歯車体10を取付けている。歯車体10は、外周部に正面視で右回りに傾斜する歯11を円周方向に連続して形成している。
【００２７】
一方、回転側本体９は、下部に可撓性を有する舌片5'を形成するとともに、舌片5'に吸盤６を着脱可能に装着するための貫通孔状の吸盤装着部7'を形成し、上部に歯車体10に噛合する貫通孔状の歯止め孔12を形成している。歯止め孔12は、正面視で歯車体10と同一形状となっており、内周部に正面視で右回りに傾斜する歯止め13を円周方向に連続して形成している。この歯止め孔12は、歯車体10とともに正面視で右回りにのみ所定角度毎に回転するラチェット機構を構成する。
【００２８】
これにより、保持具1'は、固定側本体８と回転側本体９とを回転角度調節可能に接続している。
【００２９】
このように、保持具1'では、保持具本体3'を、貼着体４を取付けた固定側本体８と舌片5'を形成した回転側本体９とを回転角度調節可能に接続した構成としている。
【００３０】
そのため、上記構成の保持具1'では、被保持体２を所望の角度に傾斜させた状態で保持することができ、より一層保持具1'の使い勝手を向上させることができる。
【００３１】
なお、固定側本体８と回転側本体９とを左右いずれにも回転できるように接続してもよいが、上記保持具1'のように、左右いずれか一方側にのみ回転できるように接続した場合には、被保持体２を保持した状態で被保持体２の重心との関係で固定側本体８に対して回転側本体９が反対側に回転する方向に接続部に力が作用するようにすれば、被保持体２の重みで勝手に保持具本体3'が回転してしまうのを防止できる。なお、図４に示す保持具1'では、正面視で右回りにのみ回転できるようになっているため、被保持体２を保持した状態で左回りに回転する力が作用するようにすればよい。
【符号の説明】
【００３２】
1,1'  保持具                      ２  被保持体
3,3'  保持具本体                  ４  貼着体
5,5'  舌片                        ６  吸盤
7,7'  吸盤装着部                  ８  固定側本体
９  回転側本体                    10  歯車体
11  歯                            12  歯止め孔
13  歯止め
【図１】
0003171778.tif 000003
【図２】
0003171778.tif 000004
【図３】
0003171778.tif 000005
【図４】
0003171778.tif 000006